(57)【特許請求の範囲】
【請求項１】
包装フィルムを連続して下方向へ繰り出すフィルム繰出し手段と、
連続して繰り出される包装フィルムを筒状に成形する縦シーラと、
筒状の包装フィルムに対して両側方から開閉するとともに、上下方向に移動自在な一対の横シーラと、
前記横シーラを駆動する横シーラ駆動手段と、
前記フィルム繰出し手段および横シーラ駆動手段をそれぞれ制御する制御手段とを備え、上方から投入された製品を筒状に形成した包装フィルム内に充填する連続式縦形製袋充填包装機であって、
前記横シーラと一体に移動して、筒状の包装フィルム内に投入された製品を途中で受け止める受け部材を設け、
前記制御手段は、すでに筒状に形成された包装フィルムが繰り出されており、しかも包装フィルムの底部が横シールされた状態からの運転開始１サイクル目の制御動作において、次の（イ）乃至（ハ）の制御動作を実行することを特徴とする連続式縦形製袋充填包装機。
（イ）前記フィルム繰出し手段は停止させて包装フィルムを繰り出さない。
（ロ）筒状の包装フィルム内に製品が投入される前に、前記横シーラ駆動手段を制御して、停止している筒状の包装フィルムに対し前記一対の横シーラを両側方から閉じ方向へ移動させて製品受け位置に配置する。当該製品受け位置は、前記一対の横シーラが離間していて包装フィルムが横シールされない位置であって、且つ前記受け部材が上方から投入されてきた製品を受け止める位置である。
（ハ）前記横シーラ駆動手段を制御して、前記横シーラを前記製品受け位置に配置した状態で下方向へ移動させるとともに、筒状の包装フィルム内に製品が投入された後に前記横シーラを開き、続いて前記横シーラを上方向へ移動させる。
【請求項２】
前記制御手段は、運転が開始された２サイクル目以降の制御動作において、すでに筒状に形成されて繰り出されており、しかも底部が横シールされた状態の包装フィルムへ製品を投入しないとき、次の（ト）乃至（リ）の制御動作を実行することを特徴とする請求項１の連続式縦形製袋充填包装機。
（ト）前記フィルム繰出し手段は停止させて包装フィルムを繰り出さない。
（チ）前記横シーラ駆動手段を制御して、停止している筒状の包装フィルムに対し前記一対の横シーラを両側方から閉じ方向へ移動させて前記製品受け位置に配置する。
（リ）前記横シーラ駆動手段を制御して、前記横シーラを前記製品受け位置に配置した状態で下方向へ移動させるとともに、下方移動端で前記横シーラを開き、続いて前記横シーラを上方向へ移動させる。
【請求項３】
前記制御手段は、運転が開始された２サイクル目以降の制御動作において、次の（ニ）乃至（ヘ）の制御動作を実行することを特徴とする請求項１の連続式縦形製袋充填包装機。
（ニ）前記フィルム繰出し手段を制御して、包装フィルムを連続して繰り出す。
（ホ）筒状の包装フィルム内に製品が投入される前に、前記横シーラ駆動手段を制御して、連続繰り出し中の筒状の包装フィルムに対し前記一対の横シーラを両側方から閉じて横シール動作を開始する。
（ヘ）前記横シーラ駆動手段を制御して、前記包装フィルムの連続繰り出しに同期して、前記横シーラを下方向へ移動させるとともに、筒状の包装フィルム内に製品が投入された後に前記横シーラを開き、続いて前記横シーラを上方向へ移動させる。
【請求項４】
前記制御手段は、運転を正常に停止させるとき、前記（ヘ）の制御動作における前記横シーラの上方向への移動を実行したタイミングをもって停止させることを特徴とする請求項３の連続式縦形製袋充填包装機。
【発明の詳細な説明】
【技術分野】
【０００１】
この発明は、製品が密封状態で充填された包装袋を連続して製造するための縦形製袋充填包装機であって、特に包装袋を形成する包装フィルムが連続して繰り出される連続式縦形製袋充填包装機に関する。
【背景技術】
【０００２】
この種の連続式縦形製袋充填包装機は、連続して繰り出される包装フィルムを筒状に成形した後、一対の横シーラによって包装フィルムを横シールして包装袋の底部を作り、続いて包装フィルム内へ製品を充填してから包装袋の上部を横シールして密封するとともに、この密封された包装袋を包装フィルムから切断して分離する一連の工程を繰り返す構造を備えている。
さて、連続式縦形製袋充填包装機に充填される製品が重量のある製品であるとき、横シールして形成した包装袋の底部が製品落下の衝撃を受けて破損してしまい、いわゆる底抜けが生じるおそれがあった。運転中にこのような底抜けが生じた場合、即時運転を停止して底抜けした包装袋を取り除く作業が必要となる。
【０００３】
そこで、特許文献１には、包装筒（Ｈ）に充填される被包装物（Ｗ）をシャッター（４）で受け止める構成を備えた連続式縦形製袋充填包装機が開示されている。
【先行技術文献】
【特許文献】
【０００４】
【特許文献１】特開平７−２３２７０５号公報
【発明の概要】
【発明が解決しようとする課題】
【０００５】
しかし、特許文献１に開示されたシャッター（４）は、横シール・カット用カッタ付ヒータ（３）とは独立して装置に組み込まれているため、同ヒータ（３）を駆動する機構が別途必要になり、構造と制御の両面が複雑となる課題を有していた。
【０００６】
本発明はこのような事情に鑑みてなされたもので、横シーラと一体に移動する受け部材によって、筒状の包装フィルム内に投入された製品を途中で受け止めることで、構造と制御の簡素化を実現できる連続式縦形製袋充填包装機の提供を目的とする。
【課題を解決するための手段】
【０００７】
上記目的を達成するために、本発明は、
包装フィルムを連続して下方向へ繰り出すフィルム繰出し手段と、
連続して繰り出される包装フィルムを筒状に成形する縦シーラと、
筒状の包装フィルムに対して両側方から開閉するとともに、上下方向に移動自在な一対の横シーラと、
横シーラを駆動する横シーラ駆動手段と、
フィルム繰出し手段および横シーラ駆動手段をそれぞれ制御する制御手段とを備え、上方から投入された製品を筒状に形成した包装フィルム内に充填する連続式縦形製袋充填包装機であって、
横シーラと一体に移動して、筒状の包装フィルム内に投入された製品を途中で受け止める受け部材を設け、
制御手段は、運転が開始された１サイクル目の制御動作において、次の（イ）乃至（ハ）の制御動作を実行することを特徴とする。
（イ）フィルム繰出し手段は停止させて包装フィルムを繰り出さない。
（ロ）筒状の包装フィルム内に製品が投入される前に、横シーラ駆動手段を制御して、停止している筒状の包装フィルムに対し一対の横シーラを両側方から閉じ方向へ移動させて製品受け位置に配置する。当該製品受け位置は、一対の横シーラが離間していて包装フィルムが横シールされない位置であって、且つ受け部材が上方から投入されてきた製品を受け止める位置である。
（ハ）横シーラ駆動手段を制御して、横シーラを下方向へ移動させるとともに、筒状の包装フィルム内に製品が投入された後に横シーラを開き、続いて横シーラを上方向へ移動させる。
【０００８】
運転を開始する際には、すでに筒状に形成された包装フィルムが一定の長さ繰り出されており、しかも包装フィルムの底部は横シールされた状態となっている。このようなセット状態から１サイクル目の運転が開始され、包装フィルム内へ製品が充填される。このとき、製品を途中で受け止める術がない場合は、製品落下の衝撃によって包装フィルムの底部が破損してしまうおそれがある。
しかし、本発明によれば受け部材により製品を受け止めることができるため、包装フィルムの底部を破損させてしまうおそれがない。しかも、横シーラ駆動手段の制御動作に伴い、横シーラと一体に移動する受け部材によって製品を受け止める構成としてあるため、受け部材を駆動するための専用の駆動機構や駆動制御が必要なく、この点において構造と制御の簡素化を実現することができる。
【０００９】
また、制御手段は、運転が開始された２サイクル目以降の制御動作において、次の（ニ）乃至（ヘ）の制御動作を実行する構成とすることができる。
（ニ）フィルム繰出し手段を制御して、包装フィルムを連続して繰り出す。
（ホ）筒状の包装フィルム内に製品が投入される前に、横シーラ駆動手段を制御して、連続繰り出し中の筒状の包装フィルムに対し一対の横シーラを両側方から閉じて横シール動作を開始する。
（ヘ）横シーラ駆動手段を制御して、包装フィルムの連続繰り出しに同期して、横シーラを下方向へ移動させるとともに、筒状の包装フィルム内に製品が投入された後に横シーラを開き、続いて横シーラを上方向へ移動させる。
【００１０】
かかる制御動作により正常な連続運転が実行でき、しかも横シーラの閉じ動作に伴い、受け部材が落下してくる製品を受け止める位置に配置されるため、製品落下の衝撃によって包装フィルムの底部（横シール部）が破損するおそれがない。
【００１１】
ここで、制御手段は、運転を正常に停止させるとき、（ヘ）の制御動作における横シーラの上方向への移動を実行したタイミングをもって停止させることが好ましい。このようなタイミングで運転を停止させておけば、次に運転を再開するときは上述した（イ）乃至（ハ）の制御動作を経て、正常な運転サイクルへと円滑に移行することが可能となる。
【００１２】
また、制御手段は、運転が開始された２サイクル目以降の制御動作において、筒状の包装フィルムへ製品が投入されないときは、次の（ト）乃至（リ）の制御動作を実行することが好ましい。
（ト）フィルム繰出し手段は停止させて包装フィルムを繰り出さない。
（チ）横シーラ駆動手段を制御して、停止している筒状の包装フィルムに対し一対の横シーラを両側方から閉じ方向へ移動させて製品受け位置に配置する。
（リ）横シーラ駆動手段を制御して、横シーラを下方向へ移動させるとともに、下方移動端で横シーラを開き、続いて横シーラを上方向へ移動させる。
【００１３】
これにより、製品非充填時に横シーラによる包装フィルムの横シール動作を簡易な制御で回避して、空の包装袋を製造しない経済的な運転を実現できる。なお、次サイクルで密封する包装袋への製品の投入は、上記（リ）において横シーラを下方向へ移動させる間に実行されるが、そのとき横シーラは製品受け位置にあるため、当該投入された製品は受け部材によって受け止められる。
【発明の効果】
【００１４】
以上説明したように、本発明によれば、受け部材により製品を受け止めることができるため、包装フィルムの底部を破損させてしまうおそれがない。しかも、横シーラ駆動手段の制御動作に伴い、横シーラと一体に移動する受け部材によって製品を受け止める構成としてあるため、受け部材を駆動するための専用の駆動機構や駆動制御が必要なく、この点において構造と制御の簡素化を実現することができる。
【図面の簡単な説明】
【００１５】
【図１】本発明の実施形態に係る連続式縦形製袋充填包装機の全体構成を示す斜視図である。
【図２】制御部による、運転開始から１サイクル目の制御動作を説明するための模式図である。
【図３】制御部による、運転開始から２サイクル目以降の制御動作を説明するための模式図である。
【図４】制御部による、正常に運転を停止する際の制御動作を説明するための模式図である。
【図５】制御部による、製品が投入されないときの制御動作を説明するための模式図である。
【発明を実施するための形態】
【００１６】
以下、この発明の実施の形態について図面を参照して詳細に説明する。
図１は、本実施形態に係る連続式縦形製袋充填包装機の全体構成を示す斜視図である。
図１に示すように、連続式縦形製袋充填包装機は、フィルムリール１と、フォーマ２と、製袋チューブ３と、一対の縦シーラ４と、一対の繰出しベルト５と、一対の横シーラ６とを備えている。フィルムリール１には、帯状の包装フィルムＦが巻きつけてある。包装フィルムＦは、搬送ローラ等によってフィルムリール１から繰り出されて、所定の搬送経路を介して搬送され、フォーマ２に案内される。
【００１７】
製袋チューブ３は円筒状に筒体であり、上下方向に延在して配置されている。フォーマ２は、この製袋チューブ３の上端部に設置され、フィルムリール１から送られてきた帯状の包装フィルムＦを製袋チューブ３の外周面に巻き付けて筒状にする。
【００１８】
一対の縦シーラ４と一対の繰出しベルト５は、製袋チューブ３の外周面と対向する位置にそれぞれ設置してある。各繰り出しベルト５は、製袋チューブ３の外周面に巻き付けられた包装フィルムＦを下方へ繰り出す。そして、一対の縦シーラ４は、製袋チューブ３の外周面上で筒状に重なり合った両縁部を挟み込み、熱シールして筒状に成形する。
【００１９】
本実施形態の装置は「連続式」の縦形製袋充填包装機である。すなわち、運転中は繰出しベルト５が常時作動し、連続して包装フィルムＦを繰り出す。この連続式縦形製袋充填包装機と対比される装置として、間欠式縦形製袋充填包装機がある。間欠式の縦形製袋充填包装機は、製造される包装袋の長さ分だけ包装フィルムＦを繰り出した後、一旦繰り出し動作を停止する。そして、この停止中に製品の充填と、横シーラ６による包装フィルムＦの横シール動作が実行される。
【００２０】
一対の横シーラ６は、製袋チューブ３の下端３ａよりも下方に設置してあり、製袋チューブ３の下端３ａから下方へ繰り出されてきた筒状の包装フィルムＦに対して、両側方から閉じて当該包装フィルムを挟み込み、内蔵した電熱ヒータ（図示せず）から伝わる熱をもって包装フィルムＦを熱シールする機能を有している。ここで、横シーラ６によるシール面は、筒状の包装フィルムＦの軸方向（すなわち、繰り出し方向）に対しほぼ直交する方向に横断しており、この横シール動作によって筒状の包装フィルムＦは横方向に封止される。
【００２１】
さらに、横シーラ６の一方にはカッター（図示せず）が内蔵してあり、横シーラ６によって熱シールされた包装フィルムＦのシール面を、その中間部でカッターにより横方向に切断する。これにより横シール部は上下に分断され、下側の横シール部が製品充填済みの包装袋Ｆａの上縁封止部を形成し、一方、上側の横シール部が次に製品を充填するための包装フィルムＦの底部を形成する。なお、かかる横シーラの構造と動作は、すでに周知の技術である。
【００２２】
また、連続式縦形製袋充填包装機にあっては、横シーラ６は横方向への開閉動作に加えて、上下方向にも移動する構成となっている。これは、横シール動作中も繰出しベルト５による包装フィルムＦの繰り出し動作が実行されることから、この繰り出し動作に同期して横シーラ６を下方へ移動させるためである。
【００２３】
製品は、製袋チューブ３の上方に設置した製品充填装置１０から、製袋チューブ３の上端開口部へ投入され、製袋チューブ３の中空部内を通して下端３ａの開口部から排出される。そして、製袋チューブ３の下方に繰り出された筒状の包装フィルムＦ内に充填される。
【００２４】
本実施形態の連続式縦形製袋充填包装機には、一対の横シーラ６の上部に、それぞれ製品を受け止めるための受け部材７が設置してある。受け部材７は、横シーラ６と一体に移動して、横シーラ６が閉じて横シールを実行する状態か、または後述するように横シーラ６が接近して僅かに離間した位置にあるとき、筒状の包装フィルムＦ内に投入された製品を横シーラ６のすぐ上方で受け止める機能を有している。
【００２５】
上述した一対の繰出しベルト５は、包装フィルム繰出しモータ２１からの駆動力をもって駆動して包装フィルムＦを下方へ繰り出していく。この繰出しベルト５と包装フィルム繰出しモータ２１が、包装フィルムＦを下方へ繰り出すフィルム繰出し手段を構成している。
また、一対の横シーラ６は、横シーラ開閉駆動モータ２２からの駆動力をもって横方向に開閉する。さらに、一対の横シーラ６は、横シーラ上下駆動モータ２３からの駆動力をもって上下方向に移動する。これら横シーラ開閉駆動モータ２２と横シーラ上下駆動モータ２３は、横シーラ駆動手段を構成している。
そして、これら包装フィルム繰出しモータ２１、横シーラ開閉駆動モータ２２、横シーラ上下駆動モータ２３は、制御部２０からの制御信号により動作が制御されている。この制御部２０は、コンピュータと、同コンピュータにインストールされた専用の制御プログラムで構成してある。
【００２６】
次に、図２乃至図５を参照して、制御部２０による制御動作について詳細に説明する。
〔運転開始から１サイクル目の制御動作〕
まず、図２を参照して、運転開始から１サイクル目の制御動作について説明する。
運転を開始（再開）する際には、運転停止前の動作サイクルにおいてすでに筒状に形成された包装フィルムＦが、製袋チューブ３の下端３ａよりも下方に一定の長さ繰り出されており、しかも包装フィルムＦの底部Ｆｂは横シールされた状態となっている（図２（ａ）参照）。このようなセット状態から１サイクル目の運転が開始され、筒状の包装フィルムＦ内へ製品が充填される。
【００２７】
すなわち、図２（ａ）の状態から運転が開始されるが、このとき制御部２０は、包装フィルム繰出しモータ２１を停止させて、繰出しベルト５による包装フィルムＦの繰り出し動作が行われないように制御する。
そして、筒状の包装フィルムＦ内に製品充填装置１０から製品Ｗが投入される前に、横シーラ開閉駆動モータ２２に駆動指令を出力し、停止している筒状の包装フィルムＦに対して、一対の横シーラ６を両側方から閉じ方向へ移動させて製品受け位置に配置する。
【００２８】
「製品受け位置」では、図２（ｆ）に拡大して示すように、一対の横シーラ６が互いに接近しているものの離間していて隙間Ｄが形成されているため、横シーラ６による包装フィルムＦの横シールは行われない。そして、この製品受け位置に横シーラ６が配置されているとき、受け部材７は、上方から投入されてきた製品Ｗを横シーラ６のすぐ上方で受け止める（図２（ｂ）参照）。このように、横シーラ６の閉じ動作に伴い、受け部材７が落下してくる製品Ｗを受け止める位置に配置されるため、製品落下の衝撃によって包装フィルムＦの底部Ｆｂを破損させてしまうおそれがない。
【００２９】
さらに、制御部２０は、横シーラ上下駆動モータ２３に下方への駆動指令を出力し、横シーラ６を下方向へ移動させる（図２（ｂ）参照）。このとき、横シーラ６は上述した製品受け位置に配置されているため、停止している筒状の包装フィルムＦを引っ張ることなく滑らかに下方へ移動する。
なお、制御部２０は、製品充填装置１０からの製品投入信号を受けて、製品Ｗが投入されるタイミングに合わせて、横シーラ６を製品受け位置に配置するとともに、下方への移動動作を実行している。
【００３０】
そして、あらかじめ設定された上下移動ストロークの下降端に到達したとき（または下降端の近傍まで移動したとき）、制御部２０は、横シーラ開閉駆動モータ２２に駆動指令を出力し、横シーラ６を開き方向へ移動させて筒状の包装フィルムＦから引き離す（図２（ｃ）参照）。このとき、受け部材７による製品Ｗに受け止め状態が解除され、製品Ｗは下方に落下して包装フィルムＦの底部Ｆｂ付近に充填される。ここで製品Ｗが落下する距離は短く、したがって包装フィルムＦの底部Ｆｂを破損させるおそれはない。
続いて、制御部２０は、横シーラ上下駆動モータ２３に上方への駆動指令を出力し、横シーラ６を上方向へ移動させる（図２（ｄ）参照）。
以上で１サイクル目の動作が終了する（図２（ｅ）参照）。
【００３１】
〔運転開始から２サイクル目以降の制御動作〕
次に、図３を参照して、運転開始から２サイクル目以降の制御動作について説明する。
運転を開始（再開）してから２サイクル目以降では、制御部２０は、包装フィルム繰出しモータ２１を連続的に駆動して、繰出しベルト５による包装フィルムＦの繰り出し動作が連続して行われるように制御する（図３（ａ）参照）。
【００３２】
そして、筒状の包装フィルムＦ内に製品充填装置１０から製品Ｗが投入される前に、横シーラ開閉駆動モータ２２に駆動指令を出力し、連続繰り出し中の筒状の包装フィルムＦに対して、一対の横シーラ６を両側方から閉じ方向へ移動させて横シール動作を実行する。ここで横シールされる部位は、前のサイクルですでに製品Ｗが充填された領域よりも上方であり、この横シール動作によって製品Ｗが充填された領域が密封されて包装袋Ｆａが形成される（図３（ｂ）参照）。
【００３３】
さらに、制御部２０は、横シーラ上下駆動モータ２３に下方への駆動指令を出力し、横シーラ６を下方向へ移動させる。ここでの下方への移動動作は包装フィルムＦの連続繰り出しに同期させており、横シーラ６は包装フィルムＦと同じ速度で下方に移動していく。
【００３４】
製品充填装置１０からは、横シーラ６による横シール動作の実行中であって横シーラ６が下方へ移動している間に、次サイクルで密封する製品Ｗが投入される。このとき、横シーラ６の閉じ動作に伴い、受け部材７が落下してくる製品を受け止める位置に配置されるため、製品落下の衝撃によって包装フィルムＦの底部Ｆｂが破損するおそれはない（図３（ｂ）参照）。
【００３５】
そして、あらかじめ設定された上下移動ストロークの下降端に到達したとき（または下降端の近傍まで移動したとき）、制御部２０は、横シーラ開閉駆動モータ２２に駆動指令を出力し、横シーラ６を開き方向へ移動させて筒状の包装フィルムＦから引き離す（図３（ｃ）参照）。
このとき、包装フィルムＦの横シールされた部分は、横シーラ６に内蔵されたカッターによって上下に分断されており、下側の横シール部が製品充填済みの包装袋Ｆａの上縁封止部を形成し、一方、上側の横シール部が次サイクルで密封される包装フィルムＦの底部Ｆｂを形成することになる。横シール動作によって製造された製品充填済みの包装袋Ｆａは、横シーラ６の開き動作に伴い下方へ落下して排出される。
【００３６】
続いて、制御部２０は、横シーラ上下駆動モータ２３に上方への駆動指令を出力し、横シーラ６を上方向へ移動させる（図３（ｄ）参照）。
以上で２サイクル目の動作が終了する（図２（ｅ）参照）。３サイクル目以降は、上述した制御動作が繰り返される。
【００３７】
〔正常に運転を停止する際の制御動作〕
次に、図４を参照して、正常に運転を停止する際の制御動作について説明する。
運転を停止する際は、図４（ａ）乃至（ｃ）に示すように、横シーラ６は、通常の運転サイクルと同様に、横方向へ閉じるの横シール動作と、包装フィルムＦと同期した下方への移動動作が実行される。これらの動作により、すでに充填されている製品Ｗを密封した包装袋Ｆａが製造されるとともに、この包装袋Ｆａが切断された後の包装フィルムＦの下端には、横シールによる底部が形成される。
【００３８】
また、制御部２０は、包装フィルム繰出しモータ２１を制御して、横シーラ６があらかじめ設定された上下移動ストロークの下降端に到達するタイミングに合わせて、包装フィルムＦの繰り出しを停止する（図４（ｄ）参照）。
さらに、横シーラ６があらかじめ設定された上下移動ストロークの下降端に到達したとき（または下降端の近傍まで移動したとき）、制御部２０は、横シーラ開閉駆動モータ２２に駆動指令を出力し、横シーラ６を開き方向へ移動させて筒状の包装フィルムＦから引き離す（図４（ｃ）参照）。
続いて、制御部２０は、横シーラ上下駆動モータ２３に上方への駆動指令を出力し、横シーラ６を上方向へ移動させる（図４（ｄ）参照）。
【００３９】
制御部２０は、このように横シーラ６の上方向への移動を実行したタイミングをもって運転を停止する（図４（ｅ）参照）。このようなタイミングで運転を停止させることで、次に運転を再開する際は、上述した「運転開始から１サイクル目の制御動作」（図２参照）を経て、正常な運転サイクル（図３参照）へと円滑に移行することが可能となる。
【００４０】
〔製品が投入されないときの制御動作〕
次に、図５を参照して、製品が投入されないときの制御動作について説明する。
図５（ｂ）に示すように（図３（ｂ）を対比して参照）、横シーラ６が閉じて横シール動作をしながら下方へ移動する過程で、製品充填装置１０から製品Ｗが投入されなかったとき、制御部２０は、次のような制御動作を実行する。
【００４１】
すなわち、制御部２０は、包装フィルム繰出しモータ２１を制御して、横シーラ６があらかじめ設定された上下移動ストロークの下降端に到達するタイミングに合わせて、包装フィルムＦの繰り出しを停止する（図５（ｃ）参照）。
続いて、制御部２０は、横シーラ開閉駆動モータ２２に駆動指令を出力し、横シーラ６を開き方向へ移動させて筒状の包装フィルムＦから引き離し（図５（ｃ）参照）、さらに横シーラ上下駆動モータ２３に上方への駆動指令を出力し、横シーラ６を上方向へ移動させる（図５（ｄ）参照）。
【００４２】
次に、横シーラ６があらかじめ設定された上下移動ストロークの上昇端に到達するタイミングに合わせて、横シーラ開閉駆動モータ２２に駆動指令を出力し、停止している筒状の包装フィルムＦに対して、一対の横シーラ６を両側方から閉じ方向へ移動させて製品受け位置に配置する。
【００４３】
既述したとおり、「製品受け位置」では、一対の横シーラ６が互いに接近しているものの離間していて隙間Ｄが形成されているため、横シーラ６による包装フィルムＦの横シールは行われない（図２（ｆ）参照）。そして、この製品受け位置に横シーラ６が配置されているとき、受け部材７は、上方から投入されてきた製品Ｗを横シーラ６のすぐ上方で受け止める（図５（ｆ）参照）。このように、横シーラ６の閉じ動作に伴い、受け部材７が落下してくる製品Ｗを受け止める位置に配置されるため、製品落下の衝撃によって包装フィルムＦの底部Ｆｂを破損させてしまうおそれがない。
【００４４】
さらに、制御部２０は、横シーラ上下駆動モータ２３に下方への駆動指令を出力し、横シーラ６を下方向へ移動させる（図５（ｆ）参照）。このとき、横シーラ６は上述した製品受け位置に配置されているため、停止している筒状の包装フィルムＦを引っ張ることなく滑らかに下方へ移動する。
【００４５】
そして、あらかじめ設定された上下移動ストロークの下降端に到達したとき（または下降端の近傍まで移動したとき）、制御部２０は、横シーラ開閉駆動モータ２２に駆動指令を出力し、横シーラ６を開き方向へ移動させて筒状の包装フィルムＦから引き離す（図５（ｇ）参照）。このとき、受け部材７による製品Ｗに受け止め状態が解除され、製品Ｗは下方に落下して包装フィルムＦの底部Ｆｂ付近に充填される。ここで製品Ｗが落下する距離は短く、したがって包装フィルムＦの底部を破損させるおそれはない。
続いて、制御部２０は、横シーラ上下駆動モータ２３に上方への駆動指令を出力し、横シーラ６を上方向へ移動させる（図５（ｈ）（ｉ）参照）。
【００４６】
これにより、製品が投入されないときは、横シーラによる包装フィルムの横シール動作を回避して、空の包装袋を製造せず経済的な運転を実現できる。
【００４７】
なお、本発明は上述した実施形態に限定されるものではなく、特許請求の範囲に記載された構成を基本として、種々の変形実施や応用実施が可能であることは勿論である。
【符号の説明】
【００４８】
１：フィルムリール、２：フォーマ、３：製袋チューブ、４：縦シーラ、５：繰出しベルト、６：横シーラ、７：受け部材、１０：製品充填装置、２０：制御部、２１：包装フィルム繰出しモータ、２２：横シーラ開閉駆動モータ、２３：横シーラ上下駆動モータ、
Ｆ：包装フィルム、Ｆａ：包装袋、Ｆｂ：包装フィルムの底部、Ｗ：製品
【図１】
0006583986.tif 000002
【図２】
0006583986.tif 000003
【図３】
0006583986.tif 000004
【図４】
0006583986.tif 000005
【図５】
0006583986.tif 000006